(57)【要約】【課題】  バッテリの充電時においてバッテリの寿命を適正に判定でき、また省電力化や長寿命化を図ることである。【解決手段】  演算制御部１６は変換回路１５からの直流をスイッチ１７をオンオフしてバッテリ１３の間欠充電を行う。演算制御部１６は間欠充電の際の補充電開始時のバッテリ電圧と補充電終了時のバッテリ電圧との差電圧を求め、その差電圧を充電電流で除算して得られたバッテリ１３の内部抵抗相当値が所定値以上となったときバッテリ寿命と判断する。バッテリ寿命と判定したときは出力装置２２により使用者に報知する。【選択図】  図１
2005160291.tif 000002
【特許請求の範囲】
【請求項１】
商用電源からの交流電圧を直流電圧に変換する変換回路と；
前記変換回路からバッテリへの給電を制御可能なスイッチと；
前記スイッチをオンオフして前記バッテリの間欠充電を行う間欠充電手段と；
前記間欠充電手段で間欠充電を行う際の補充電開始時のバッテリ電圧と補充電終了時のバッテリ電圧とを検出するバッテリ電圧検出手段と；
前記バッテリ電圧検出手段で検出した補充電開始時のバッテリ電圧と補充電終了時のバッテリ電圧との差電圧を充電電流で除算した値が所定値以上となったときバッテリ寿命と判断する寿命判定手段と；
を備えたことを特徴とする充電回路。
【請求項２】
商用電源からの交流電圧を直流電圧に変換する変換回路と；
前記変換回路からバッテリへの給電を制御可能なスイッチと；
前記スイッチをオンオフして前記バッテリの間欠充電を行う間欠充電手段と；
前記間欠充電手段で間欠充電を行う際の補充電開始時のバッテリ電圧を検出するバッテリ電圧検出手段と；
前記バッテリ電圧検出手段で検出した補充開始時のバッテリ電圧が所定値を越えている場合には前記間欠充電手段での間欠充電の少なくとも１サイクルの補充電を省略させる電圧比較手段と；
を備えたことを特徴とする充電回路。
【請求項３】
前記間欠充電手段は、前記バッテリの満充電後の補充電のオン時間を３秒以内としオフ時間を３０秒〜３分以内としたことを特徴とする請求項１または２記載の充電回路。
【請求項４】
前記間欠充電手段は、前記バッテリの満充電後の補充電のオン時間を３０秒以内としオフ時間を３０秒〜３分以内としたことを特徴とする請求項１または２記載の充電回路。
【請求項５】
請求項１ないし４のいずれか一の充電回路と；
前記充電回路により間欠充電されるバッテリと；
停電時に前記バッテリより供給される電源により光源を点灯させる点灯装置と；
を備えたことを特徴とする非常用点灯装置。
【請求項６】
器具本体と；
器具本体に設けられる光源と；
請求項５記載の非常用点灯装置と；
を備えたことを特徴とする照明装置。
【発明の詳細な説明】
【技術分野】
【０００１】
本発明は、停電時に非常灯や誘導灯に電源を供給して点灯するバッテリを充電するための充電回路、非常用点灯装置及び照明装置に関する。
【背景技術】
【０００２】
例えば、非常灯や誘導灯等の照明装置は停電時においても所定時間は点灯維持できるように、停電時にはバッテリから電源が供給されるように構成されている。このため、バッテリには、停電が発生してから少なくとも所定時間以上にわたって照明装置を点灯できるだけの電力を充電しておく必要がある。
【０００３】
バッテリへの充電方式としては、間欠充電とトリクル充電との２種類がある。間欠充電は初期充電で満充電状態とし、その後に休止区間を設けて休止区間に自己放電により減少した容量を休止区間の経過後に補充電で補うようにしたものであり、充電はタイマー制御にて行っている。トリクル充電は低い充電電流で連続して充電を行うことによってバッテリを常に満充電状態に維持するものである。
【０００４】
二次電池（バッテリ）の充電中にその充電電流を間欠的にオン・オフさせ、充電電流がオフされる直前の電池電圧Ｖonと充電電流をオフした後の開放電池電圧Ｖoffとに従って二次電池の内部抵抗Ｒに相当する値を求め、二次電池の初期時における内部抵抗Ｒに相当する値Ｚ(int)と、最新の二次電池の内部抵抗Ｒに相当する値Ｚ(now)とを比較して二次電池の寿命を判定するようにしたものがある（例えば、特許文献１参照）。
【０００５】
また、間欠充電を行う際に、初期充電期間における充電電流よりも大きい充電電流を流して二次電池を補充電するとともに、初期充電期間よりも長い休止期間を設け、二次電池の平均温度を低下させて劣化を防止し、ひいては二次電池の寿命を改善するようにしたものがある（例えば特許文献２参照）。
【特許文献１】特開２００３−１３９８２７号公報（図２、図３）
【特許文献２】特開２０００−２３６６３２号公報（図３）
【発明の開示】
【発明が解決しようとする課題】
【０００６】
しかし、二次電池（バッテリ）の初期時における内部抵抗Ｒに相当する値Ｚ(int)と、最新の二次電池の内部抵抗Ｒに相当する値Ｚ(now)とを比較して二次電池の寿命を判定するものであるので、同じ条件下での比較とならない。例えば、初期時の周囲温度と最新時の周囲温度とが異なる場合には温度補正を行う必要がある。
【０００７】
また、自己放電時に計測を行うものであるので計測時間が長時間になる。すなわち、一般に間欠充電のサイクルは数時間サイクルで行われ、補充電区間よりも休止時間が長いので計測時間が長時間になる。
【０００８】
一方、特許文献２のものでは、補充電期間であれば二次電池の充電状態に関係なく補充電がなされるので、本来であれば充電を必要としない容量が二次電池に残存している場合であっても充電されることになる。これは、電力の無駄であるとともに、充電の機会が多くなるので二次電池の寿命が短くなるおそれがある。
【０００９】
本発明の目的は、バッテリの充電時においてバッテリの寿命を適正に判定でき、また省電力化や長寿命化を図れる充電回路、非常用点灯装置及び照明装置を提供することである。
【課題を解決するための手段】
【００１０】
請求項１の発明に係わる充電回路は、商用電源からの交流電圧を直流電圧に変換する変換回路と；前記変換回路からバッテリへの給電を制御可能なスイッチと；前記スイッチをオンオフして前記バッテリの間欠充電を行う間欠充電手段と；前記間欠充電手段で間欠充電を行う際の補充電開始時のバッテリ電圧と補充電終了時のバッテリ電圧とを検出するバッテリ電圧検出手段と；前記バッテリ電圧検出手段で検出した補充電開始時のバッテリ電圧と補充電終了時のバッテリ電圧との差電圧を充電電流で除算した値が所定値以上となったときバッテリ寿命と判断する寿命判定手段と；を備えたことを特徴とする。
【００１１】
本発明及び以下の発明において、特に指定しない限り用語の定義及び技術的意味は次による。変換回路は、交流の商用電源の交流電圧を所定の直流電圧に変換するものであり、例えばスイッチング素子を具備した降圧チョッパ回路で構成され、スイッチング素子のオンデューティを変化させることによって出力電圧を可変する。スイッチは演算制御部によりオンオフ制御され変換回路からの直流をバッテリに供給するものであり、例えば電界効果トランジスタＦＥＴが使用される。また、バッテリはニッカド電池やニッケル水素電池等の種々の二次電池が使用可能である。
【００１２】
間欠充電手段はスイッチをオンオフしてバッテリの間欠充電を行うものであり、スイッチをオンオフ制御してバッテリの間欠充電を行う。間欠充電とは初期充電で満充電状態とし、その後に休止区間を設けて休止区間に自己放電により減少した容量を休止区間の経過後に補充電で補う充電方式である。
【００１３】
バッテリ電圧検出手段は、間欠充電手段で間欠充電を行う際の補充電開始時のバッテリ電圧と補充電終了時のバッテリ電圧とを検出するものである。
【００１４】
寿命判定手段は、間欠充電の際の補充電開始時のバッテリ電圧と補充電終了時のバッテリ電圧との差電圧を充電電流で除算した値、すなわち内部抵抗の相当値が所定値以上となったときバッテリ寿命と判断する。
【００１５】
また、補充電開始時のバッテリ電圧には補充電直前のバッテリ電圧も含まれる。また、補充電終了時のバッテリ電圧には補充電直後のバッテリ電圧が含まれる。
【００１６】
所定値は、バッテリの寿命を判定するための内部抵抗相当値であり、例えば照明装置の光源を２０分間連続して所定の基準の照度を満たして点灯できる内部抵抗相当値であり、バッテリの種類に応じて予め固定値として設定される。演算制御部によるバッテリ寿命の判定結果は、例えば表示器等の出力装置に点灯表示される。
【００１７】
本発明によれば、補充電の区間は休止区間より短く、その補充電の際にバッテリの内部抵抗相当値を演算するので、周囲温度変化の影響をほとんど受けない状態で内部抵抗相当値を演算できる。従って、演算した内部抵抗相当値を温度補正する必要がなく簡便にしかも精度よく内部抵抗相当値を求めることができる。また、寿命末期の判定は、初期の内部抵抗相当値ではなく予め定めた所定値と比較して判定するので、内部抵抗相当値の演算の際に、初期の内部抵抗相当値の計測条件と同じ条件での内部抵抗相当値に補正する必要もない。
【００１８】
請求項２の発明に係わる充電回路は、商用電源からの交流電圧を直流電圧に変換する変換回路と；前記変換回路からバッテリへの給電を制御可能なスイッチと；前記スイッチをオンオフして前記バッテリの間欠充電を行う間欠充電手段と；前記間欠充電手段で間欠充電を行う際の補充電開始時のバッテリ電圧を検出するバッテリ電圧検出手段と；前記バッテリ電圧検出手段で検出した補充開始時のバッテリ電圧が所定値を越えている場合には前記間欠充電手段での間欠充電の少なくとも１サイクルの補充電を省略させる電圧比較手段と；を備えたことを特徴とする。
【００１９】
本発明は、補充開始時のバッテリ電圧が所定値を越えている場合には、少なくとも１サイクルの補充電を省略するようにしたものである。
【００２０】
一般に、バッテリが新しいときは内部抵抗値が小さく自己放電量も少ないので、補充電をする必要がないので、バッテリがこのような状態であるときは、不必要な補充電を省略する。
【００２１】
本発明によれば、補充電をする必要がないときは補充電を省略するので省電力化を図ることができる。また、バッテリが満充電状態のときの補充電を省略できるのでバッテリの長寿命化が図れる。
【００２２】
請求項３の発明に係わる充電回路は、請求項１または２の発明において、前記間欠充電手段は、前記バッテリの満充電後の補充電のオン時間を３秒以内としオフ時間を３０秒〜３分以内としたことを特徴とする。
【００２３】
請求項４の発明に係わる充電回路は、請求項１または２の発明において、前記間欠充電手段は、前記バッテリの満充電後の補充電のオン時間を３０秒以内としオフ時間を３０秒〜３分以内としたことを特徴とする。
【００２４】
請求項３または４発明は、従来は充電区間及び休止区間が数時間単位であったものを補充電の際のオンオフ時間（補充電区間、休止区間）を短くして、休止区間中の自己放電による自己放電量を小さく抑えるようにしたものであり、補充電のオン時間を３秒以内または３０秒以内としオフ時間を３０秒〜３分以内とする。
【００２５】
本発明によれば、休止区間が短くなるので自己放電による自己放電量を小さく抑えることができる。オフ時間を３０秒〜３分以内の場合には自己放電量を抑えることができるので、休止期間中に停電が発生した場合であってもバッテリをほぼ満充電に近い状態に保持できる。
【００２６】
請求項５の発明に係わる非常用点灯装置は、請求項１ないし４のいずれか一の充電回路と；前記充電回路により間欠充電されるバッテリと；停電時に前記バッテリより供給される電源により光源を点灯させる点灯装置と；を備えたことを特徴とする。
【００２７】
本発明は、例えば非常灯や誘導灯等を点灯する非常用点灯装置であり、光源は、例えば白熱ランプや蛍光ランプ、発光ダイオード等である。本発明によれば、請求項１ないし請求項４のいずれか一の効果を有する非常用点灯装置が得られる。
【００２８】
請求項６の発明に係わる照明装置は、器具本体と；器具本体に設けられる光源と；請求項５記載の非常用点灯装置と；を具備することを特徴とする。本発明によれば、請求項５の効果を有する照明装置が得られる。
【発明の効果】
【００２９】
請求項１の発明によれば、周囲温度変化の影響をほとんど受けない状態で内部抵抗相当値を演算できるので、演算した内部抵抗相当値を温度補正する必要がなく簡便にしかも精度よく内部抵抗相当値を求めることができる。また、寿命末期の判定は、初期の内部抵抗相当値ではなく予め定めた所定値と比較して判定するので、演算した内部抵抗相当値に補正する必要もない。
【００３０】
請求項２の発明によれば、補充電をする必要がないときは補充電を省略するので省電力化を図ることができ、バッテリの長寿命化が図れる。請求項３または４の発明によれば、補充電の休止区間が短くなるので自己放電による自己放電量を小さく抑えることができ、休止期間中に停電が発生した場合であってもバッテリをほぼ満充電状態に保持できる。請求項５の発明によれば、請求項１ないし請求項４のいずれか一の効果を有する非常用点灯装置が得られる。請求項６の発明によれば、請求項５の効果を有する照明装置が得られる。
【発明を実施するための最良の形態】
【００３１】
図１は本発明の実施の形態に係わる照明装置のブロック構成図である。充電回路１１は商用電源１２からの交流を直流に変換してバッテリ１３に充電を行うものであり、間欠充電にてバッテリ１３を常時充電する。バッテリ１３には点灯装置３１を介して光源１４が接続されており、光源１４の電源が停電したときにバッテリ１３より光源１４に電源を供給して光源１４を点灯する。光源１４は、例えば白熱ランプや蛍光ランプ、発光ダイオード等であり、照明装置は、例えば非常灯や誘導灯等の照明装置である。また、バッテリ１３は例えばニッケル水素電池である。
【００３２】
商用電源１２の交流電圧は充電回路１１の変換回路１５に入力され所定の直流電圧に変換される。変換回路１５は、例えばスイッチング素子を具備した降圧チョッパ回路で構成され、演算制御部１６からの制御指令によりスイッチング素子のオンデューティを変化させることによって出力電圧を可変する。
【００３３】
スイッチ１７は、演算制御部１６によりスイッチ駆動回路１８を介してオンオフ制御され、変換回路１５からの直流を充電抵抗１９を介して間欠的にバッテリ１３に供給してバッテリ１３を間欠充電するものであり、例えば電界効果トランジスタＦＥＴが使用される。
【００３４】
演算制御部１６は、例えばマイクロコンピュータで構成され、スイッチ１７をオンオフ制御してバッテリ１３の間欠充電を行う。その際には、変換回路１５に制御指令を出力して変換回路１５の出力電圧を調整する。また、変換回路１５からの充電電流は電流検出器２０で検出されて演算制御部１６に入力され、同様にバッテリ１３のバッテリ電圧は電圧検出器２１で検出されて演算制御部１６に入力される。
【００３５】
演算制御部１６は、電流検出器２０で検出された充電電流Ｉ、バッテリ電圧検出手段である電圧検出器２１で検出された補充電開始時のバッテリ電圧、その補充電終了時のバッテリ電圧に基づいてバッテリ１３の内部抵抗相当値を求め、その値が所定値以上となったときにバッテリ寿命と判断する。そして、演算制御部１６によるバッテリ寿命の判定結果は、出力装置２２に出力される。出力装置２２は、例えば表示器等でありバッテリ寿命であると判定されたときに点灯表示される。
【００３６】
図２は演算制御部１６の一例を示すブロック構成図である。演算制御部１６はバッテリ１３を間欠充電するための充電パターンを予め充電パターン記憶部２３に記憶しており、オンオフ制御手段２４は、この充電パターン記憶部２３に記憶された充電パターンに基づいてスイッチ駆動回路１８にオンオフ制御指令を出力してスイッチをオンオフ制御しバッテリ１３を間欠充電する。すなわち、オンオフ制御手段２４はスイッチ１７をオンオフしてバッテリ１３の間欠充電を行う間欠充電手段として動作する。充電パターン記憶部２３はタイマー機能で構成してもよい。
【００３７】
図３は充電パターンの一例の説明図である。新しいバッテリ１３に対して最初に初充電区間Ｔ０にて満充電状態とし、その後に充電の休止区間Ｔ１を設け、その休止区間Ｔ１の経過後に補充電区間Ｔ２にて満充電状態とする。すなわち、休止区間Ｔ１の間に自己放電により減少した容量を補充電区間Ｔ２で補い、この動作を繰り返して、常時、ほぼ満充電状態を保つように補充電を行う。
【００３８】
ここで、本発明の実施の形態では、補充電の休止区間Ｔ１及び補充電区間Ｔ２を短くして、休止区間中の自己放電による自己放電量を小さく抑えるようにしている。例えば、補充電区間Ｔ２（スイッチのオン時間）を３秒以内または３０秒以内とし、休止区間Ｔ１（スイッチのオフ時間）を３０秒〜３分以内としている。これにより、休止区間Ｔ１が短くなるので自己放電による自己放電量を小さく抑えることができる。また、補充電区間Ｔ２も短くでき満充電状態で過充電することが少なくなりバッテリ１３の長寿命化を図れる。また、オフ時間を３０秒〜３分以内とした場合には自己放電量を抑えることができるので、休止期間中に停電が発生した場合であってもバッテリ１３はほぼ満充電に近い状態であり、光源１４への電源供給も適正に行える。
【００３９】
次に、演算制御部１６の内部抵抗演算手段２５は、オンオフ制御手段２４から各々の補充電区間Ｔ２の補充電開始時点及び補充電終了時点を入力し、バッテリ１３の間欠充電中は補充電ごとに、電圧検出器２１からバッテリ１３の補充電開始時のバッテリ電圧Ｖ１及びその補充電終了時のバッテリ電圧Ｖ２とを入力し、また、電流検出器２０から充電電流Ｉを入力する。
【００４０】
図４は内部抵抗演算手段２５の演算内容の説明図である。内部抵抗演算手段２５では、補充電開始時のバッテリ電圧Ｖ１とその補充電終了時のバッテリ電圧Ｖ２との差電圧ΔＶ（Ｖ１−Ｖ２）を求め、差電圧ΔＶ（Ｖ１−Ｖ２）を充電電流Ｉで除算した値、すなわち内部抵抗相当値ΔＲを求める。内部抵抗演算手段２５で求められた内部抵抗相当値ΔＲは演算結果記憶部２６に時系列的に保存される。
【００４１】
寿命判定手段２７は、演算結果記憶部２６に記憶された内部抵抗相当値ΔＲと所定値記憶部２８に予め記憶された所定値とを比較し、その比較結果を演算結果記憶部２６に記憶すると共に、内部抵抗相当値ΔＲが所定値以上となったときはバッテリ寿命と判断し、出力装置２２にその旨を出力する。ここで、所定値記憶部２８に予め記憶される所定値は、バッテリ１３の寿命を判定するための内部抵抗相当値ΔＲ０であり、例えば照明装置の光源１４を２０分間連続して所定の基準の照度を満たして点灯できる内部抵抗相当値、あるいはバッテリ１３の寿命であると想定される内部抵抗相当値である。この内部抵抗相当値ΔＲ０はバッテリ１３の種類に応じて予め固定値として設定される。
【００４２】
このように、間欠充電中の補充電中の内部抵抗相当値ΔＲを監視し続け、内部抵抗相当値ΔＲがある一定以上となったとき寿命と判断する。内部抵抗相当値ΔＲの演算に必要とする補充電開始時のバッテリ電圧Ｖ１とその補充電終了時のバッテリ電圧Ｖ２とを得る時間差は補充電区間Ｔ２であり短時間であるので、周囲温度変化の影響をほとんど受けない状態で内部抵抗相当値ΔＲを演算できる。従って、演算した内部抵抗相当値ΔＲを温度補正する必要がなく簡便にしかも精度よく内部抵抗相当値ΔＲを求めることができる。また、寿命末期の判定は、初期の内部抵抗相当値ではなく予め定めた所定値と比較して判定するので、内部抵抗相当値の演算の際に、初期の内部抵抗相当値の計測条件と同じ条件での内部抵抗相当値に補正する必要もない。
【００４３】
なお、充電電流Ｉの変動が少ない場合には、充電電流Ｉをあらかじめ設定値として記憶させて適宜用いることができ、この場合は、電流検出器２０は用いなくてもよい。
【００４４】
図５は充電パターンの他の一例の説明図である。バッテリ１３が新しいうちは、図５（ａ）に示すように休止区間Ｔ１を長くして補充電の回数を少なくし、バッテリ１３の使用期間に応じて、図５（ｂ）、図５（ｃ）に示すように、徐々に休止区間Ｔ１を短くして補充電の回数を多くするようにしたものである。
【００４５】
バッテリ１３が新しいうちは、補充電の回数を減らしても満充電状態を保持できる。また、満充電状態で過充電をするとバッテリ１３の劣化が早まり寿命が短くなる。そこで、バッテリ１３が新しいうちは、休止区間Ｔ１を長くして補充電の回数を少なくし、バッテリ１３の使用期間が長くなるにつれて徐々に休止区間Ｔ１を短くして補充電の回数を多くする。例えば、バッテリ１３の平均的な寿命が４〜５年である場合には、最初の１．５年間は図５（ａ）の充電パターンで補充電を行い、次の１．５年間は図５（ｂ）の充電パターンで補充電を行い、その後は図５（ｃ）の充電パターンで充電を行う。この充電パターンはタイマー機能で構成してもよい。
【００４６】
図６は演算制御部１６の他の一例を示すブロック構成図である。図２に示した演算制御部１６に対して、電圧検出器２１で検出されたバッテリ電圧Ｖと電圧設定器２９に設定された所定値Ｖ０とを比較する電圧比較手段３０を追加して設け、バッテリ電圧Ｖが所定値Ｖ０を越えた場合には、間欠充電手段であるオンオフ制御手段２４での間欠充電の少なくとも１サイクルの補充電を省略するようにしたものである。図３と同一要素には同一符号を付し重複する説明は省略する。
【００４７】
電圧比較手段３０は、補充電開始時の電圧検出器２１で検出されたバッテリ電圧Ｖを入力し電圧設定器２９に設定された所定値Ｖ０と比較する。そして、補充電開始時のバッテリ電圧Ｖが所定値Ｖ０を越えている場合には、次のサイクルでの補充電を省略する。これにより、満充電状態で過充電をすることが少なくなりバッテリ１３の長寿命化が図れると共に省エネルギーを図れる。
【００４８】
図７は、演算制御部１６で補充電開始時のバッテリ電圧Ｖに応じて行う間欠充電の処理内容を示すフローチャートである。まず、充電パターンに基づいて補充電開始時点になったか否かを判定し（Ｓ１）、補充電開始時点になると電圧検出器２１からのバッテリ電圧を入力し（Ｓ２）、その入力したバッテリ電圧を補充電開始時のバッテリ電圧とする（Ｓ３）。そして、電圧比較手段３０により、補充電開始時のバッテリ電圧Ｖが電圧設定器２９に設定された所定値Ｖ０を越えているか否かを判定し（Ｓ４）、補充電開始時のバッテリ電圧Ｖが所定値Ｖ０を越えている場合には、間欠充電の１サイクル時間（Ｔ１＋Ｔ２）＋ΔＴだけ遅延する（Ｓ５）。ここで、ΔＴは間欠充電の１サイクルを確実に省略させるための余裕時間である。その後に、間欠充電の動作が終了でないことを確認しステップＳ１に戻る（Ｓ６）。これにより、次の１サイクルでの補充電を省略する。
【００４９】
一方、ステップＳ４の処理で、補充電開始時のバッテリ電圧Ｖが電圧設定器２９に設定された所定値Ｖ０を越えていない場合は、オンオフ制御手段２４により補充電が開始される（Ｓ７）。そして、そのサイクルでの補充電が終了したか否かを判定し（Ｓ８）、そのサイクルでの補充電が終了したときは、電圧検出器２１からのバッテリ電圧を入力し（Ｓ９）、その入力したバッテリ電圧を補充電終了時のバッテリ電圧とする（Ｓ１０）。その後に、間欠充電の動作が終了でないことを確認しステップＳ１に戻る（Ｓ１１）。
【００５０】
ステップＳ３で得られた補充電開始時のバッテリ電圧、及びステップＳ１０で得られた補充電終了時のバッテリ電圧は、内部抵抗演算手段２５に入力され内部抵抗相当値ΔＲが演算されることになる。このように、補充電開始時のバッテリ電圧Ｖが所定値Ｖ０を越えている場合には、１サイクルの補充電を省略する。
【００５１】
以上の説明では、バッテリ電圧Ｖが所定値Ｖ０を越えた場合には、次の１サイクルでの補充電を省略するようにしたが、２サイクルの補充電を省略するようにしても良い。例えば、バッテリ電圧Ｖが所定値Ｖ０を越えた場合にバッテリ１３の使用時間を考慮に入れて、バッテリ１３が新しいうちは図５（ａ）に示すように２サイクルの補充電を省略するようにし、所定期間経過後は図５（ｂ）に示すように１サイクルの補充電を省略するようにしても良い。なお、バッテリ１３の使用時間は例えばタイマー機能により管理する。
【００５２】
図８は、その場合の演算制御部１６での処理内容を示すフローチャートである。図８では、図７のステップに対し、ステップＳ１２及びステップＳ１３が追加されている。図７と同一ステップには同一符号を付し重複する説明は省略する。
【００５３】
すなわち、ステップＳ４の判定で、補充電開始時のバッテリ電圧Ｖが所定値Ｖ０を越えている場合には、バッテリの使用可能時間は所定期間以上か否かを判定し（Ｓ１２）、所定期間以上である場合には、間欠充電の２サイクル時間２（Ｔ１＋Ｔ２）＋ΔＴだけ遅延する（Ｓ１３）。ここで、ΔＴは間欠充電の２サイクルを確実に省略させるための余裕時間である。その後に、間欠充電の動作が終了でないことを確認しステップＳ１に戻る（Ｓ６）。これにより、次の１サイクルでの補充電を省略する。
【００５４】
このように、補充電開始時のバッテリ電圧Ｖが所定値Ｖ０を越えている場合には、バッテリ１３の使用時間を考慮に入れて、バッテリ１３が新しいうちは図５（ａ）に示すように２サイクルの補充電を省略するようにし、所定期間経過後は図５（ｂ）に示すように１サイクルの補充電を省略する。従って、補充電をする必要がないときは補充電を省略することになるので、省電力化を図ることができる。また、バッテリが満充電状態のときの補充電を省略できるのでバッテリの長寿命化が図れる。
【００５５】
本発明の実施の形態によれば、周囲温度変化の影響をほとんど受けない状態で内部抵抗相当値を演算できるので、演算した内部抵抗相当値を温度補正する必要がなく簡便にしかも精度よく内部抵抗相当値を求めることができる。また、寿命末期の判定は、初期の内部抵抗相当値ではなく予め定めた所定値と比較して判定するので、演算した内部抵抗相当値に補正する必要もない。従って、バッテリ１３を放電させなくてもバッテリ寿命を適正に判断でき、バッテリ１３の寿命末期判定を容易に行い使用者に報知できる。
【００５６】
また、補充電区間及び補充電の休止区間を短くしたので、補充電の休止区間において自己放電による自己放電量を小さく抑えることができ、休止期間中に停電が発生した場合であってもバッテリをほぼ満充電状態に保持できる。さらに、補充電をする必要がないときは補充電を省略するので省エネルギーを図ることができ、バッテリの長寿命化が図れる。
【図面の簡単な説明】
【００５７】
【図１】本発明の実施の形態に係わる照明装置のブロック構成図。
【図２】本発明の実施の形態における充電回路の演算制御部の一例を示すブロック構成図。
【図３】本発明の実施の形態における充電パターンの一例の説明図。
【図４】本発明の実施の形態における充電回路の内部抵抗演算手段の演算内容の説明図。
【図５】本発明の実施の形態における充電パターンの他の一例の説明図。
【図６】本発明の実施の形態における充電回路の演算制御部の他の一例を示すブロック構成図。
【図７】本発明の実施の形態における演算制御部が補充電開始時のバッテリ電圧に応じて行う間欠充電の処理内容を示すフローチャート。
【図８】本発明の実施の形態における演算制御部が補充電開始時のバッテリ電圧に応じて行う間欠充電の他の一例の処理内容を示すフローチャート。
【符号の説明】
【００５８】
１１…充電回路、１２…商用電源、１３…バッテリ、１４…光源、１５…変換回路、１６…演算制御部、１７…スイッチ、１８…スイッチ駆動回路、１９…充電抵抗、２０…電流検出器、２１…電圧検出器、２２…出力装置、２３…充電パターン記憶部、２４…オンオフ制御手段、２５…内部抵抗演算手段、２６…演算結果記憶部、２７…寿命判定手段、２８…所定値記憶部、２９…電圧設定器、３０…電圧比較手段、３１…点灯装置
【図１】
2005160291.tif 000003
【図２】
2005160291.tif 000004
【図３】
2005160291.tif 000005
【図４】
2005160291.tif 000006
【図５】
2005160291.tif 000007
【図６】
2005160291.tif 000008
【図７】
2005160291.tif 000009
【図８】
2005160291.tif 000010